(57)【要約】      （修正有）【課題】認知症の予防促進と省スペース化の両立を実現するマット状物及びリハビリ具を提供する。【解決手段】使用者が踏むマット状物１であって、マット状物１の表面１ａには、地部２と柄部３が設けられ、柄部３における色彩、文字、大きさ及び形状のうち少なくとも２つが、それぞれ複数種類あり、柄部３が所定間隔ごとに配置されている。又、柄部３は、色彩等が３種類あり、所定間隔ごとに縦横３個ずつ配置され、種類が同じ柄部３は縦、横及び斜めの何れかの方向に隣接して配置される。マット状物１は、パイル層のパイル面に、地部２と柄部３が、塗布や染色、溶融、パイル糸のタフトの少なくとも１つによって設けられる。【選択図】図１
0003221346.tif 000002
【実用新案登録請求の範囲】
【請求項１】
使用者が踏むマット状物であって、
当該マット状物の表面には、地部と柄部が設けられ、
前記柄部における色彩、文字、大きさ及び形状のうち少なくとも２つが、それぞれ複数種類あり、
これらの柄部が、所定間隔ごとに配置されているマット状物。
【請求項２】
前記柄部は、色彩、文字、大きさ及び形状のうち３つが、それぞれ３種類あり、
これらの柄部が、所定間隔ごとに縦横３個ずつ配置されている請求項１に記載のマット状物。
【請求項３】
前記柄部における色彩、文字、大きさ及び形状のうち少なくとも２つそれぞれの種類の数が、Ｎ個である場合、
これらの柄部が、所定間隔ごとに縦横Ｎ個ずつ配置されている請求項１に記載のマット状物。
【請求項４】
前記柄部における色彩、文字、大きさ及び形状のうち何れかの種類が同じ柄部は、縦、横及び斜めのうち少なくとも１つの方向において隣接して配置されている請求項１〜３の何れか１項に記載のマット状物。
【請求項５】
当該マット状物は、パイル層を有し、
前記パイル層のパイル面に、前記地部と柄部が、塗布、染色、溶融及びパイル糸のタフトの少なくとも１つによって設けられている請求項１〜４の何れか１項に記載のマット状物。
【請求項６】
使用者が接触するリハビリ具であって、
当該リハビリ具の表面には、地部と柄部が設けられ、
前記柄部における色彩、文字、大きさ及び形状のうち少なくとも２つが、それぞれ複数種類あり、
これらの柄部が、所定間隔ごとに配置されているリハビリ具。
【考案の詳細な説明】
【技術分野】
【０００１】
本考案は、「認知症の予防促進」と「省スペース化」の両立などを実現するマット状物やリハビリ具に関する。
【背景技術】
【０００２】
従来、リハビリ運動をすることが可能な歩行訓練装置が知られている（特許文献１）。
この歩行訓練装置は、履物と足踏み台からなり、前記履物の下面と足踏み台の上面とに、足踏み台上に載せた履物を足踏み台から持ち上げようとした際に、当該履物が足踏み台から離れることを妨げるように作用する、離間方向への抵抗発生手段を設けて構成されている。
【先行技術文献】
【特許文献】
【０００３】
【特許文献１】特開２０１０−１９４２３１号公報
【考案の概要】
【考案が解決しようとする課題】
【０００４】
しかしながら、特許文献１に記載された歩行訓練装置は、足を上下動したり、膝や足首といった関節周り筋肉を使用したリハビリ運動が出来るに留まり、運動と同時に脳を活動させるものではないため、認知症予防に十分な効果が得られない虞がある。
又、特許文献１の歩行訓練装置は、履物や足踏み台、抵抗発生手段を必須とし、更に、その図３等に示されたように、足踏み台から立設した支柱やその上部の取手部も設けているため、装置が大型化すると共に、リハビリ運動を行わない際にも場所を占有して邪魔になる。
【０００５】
そこで、本考案は、色彩、文字、大きさ及び形状等が複数種類ある柄部を、所定間隔ごとに配置することにより、「認知症の予防促進」と「省スペース化」の両立などを実現できるマット状物及びリハビリ具を提供することを目的とする。
【課題を解決するための手段】
【０００６】
本考案に係るマット状物１は、使用者が踏むマット状物であって、当該マット状物の表面には、地部と柄部が設けられ、前記柄部における色彩、文字、大きさ及び形状のうち少なくとも２つが、それぞれ複数種類あり、これらの柄部が、所定間隔ごとに配置されていることを第１の特徴とする。
【０００７】
本考案に係るマット状物１の第２の特徴は、上記第１の特徴に加えて、前記柄部は、色彩、文字、大きさ及び形状のうち３つが、それぞれ３種類あり、これらの柄部が、所定間隔ごとに縦横３個ずつ配置されている点にある。
【０００８】
本考案に係るマット状物１の第３の特徴は、上記第１の特徴に加えて、前記柄部における色彩、文字、大きさ及び形状のうち少なくとも２つそれぞれの種類の数が、Ｎ個である場合、これらの柄部が、所定間隔ごとに縦横Ｎ個ずつ配置されている点にある。
尚、Ｎは、２以上の整数である。
【０００９】
本考案に係るマット状物１の第３の特徴は、上記第１〜３の特徴に加えて、前記柄部における色彩、文字、大きさ及び形状のうち何れかの種類が同じ柄部は、縦、横及び斜めのうち少なくとも１つの方向において隣接して配置されている点にある。
【００１０】
本考案に係るマット状物１の第４の特徴は、上記第１〜４の特徴に加えて、当該マット状物は、パイル層を有し、前記パイル層のパイル面に、前記地部と柄部が、塗布、染色、溶融及びパイル糸のタフトの少なくとも１つによって設けられている点にある。
【００１１】
本考案に係るリハビリ具１’は、使用者が接触するリハビリ具であって、当該リハビリ具の表面には、地部と柄部が設けられ、前記柄部における色彩、文字、大きさ及び形状のうち少なくとも２つが、それぞれ複数種類あり、これらの柄部が、所定間隔ごとに配置されていることを第１の特徴とする。
尚、本発明における「リハビリ具１’」とは、上述したマット状物１を含む他、床面や壁面等に上述した地部２と柄部３を設けて、使用者が踏んだり、手で触れたり（接触したり）するものも含み、机等の立体物の上面や側面などに上述した地部２と柄部３が設けられたものや、マット状物１よりも薄いシート状物などであっても構わない。
【００１２】
これらの特徴により、柄部３の色彩、文字、大きさ及び形状のうち少なくとも２つを、それぞれ複数種類とし、これらの柄部３を所定間隔ごとに配置することによって、使用者は、色彩等が同じ種類の柄部３だけを選んで踏みながら、当該マット状物１を歩行でき、特許文献１とは異なり、歩行運動と同時に、柄部３を選んで脳を活動させること（「デュアルタスク」）が可能となり、又、考えながら足を動かすことでゲーム感覚で取り組めるため、認知症の予防効果を促進できるとも言える（「認知症の予防促進」）。
これと同時に、上述した柄部３が設けられたのはマット状物１の表面１ａであるため、特許文献１とは異なり、足踏み台から立設した支柱や取手部のように嵩張ることもなく、リハビリ運動を行わない際にはマット状物１を畳む等して邪魔にならない（「省スペース化」）。
従って、マット状物１は、「認知症の予防促進」と「省スペース化」を両立できると言え、更に、このようなマット状物１は、「リハビリマット」であるとも言える。
【００１３】
又、色彩等が３種類ずつの柄部３を、所定間隔ごとに縦横３個ずつ配置することによって、使用者が色彩等が同じ種類の柄部３だけを選んで踏む際には、極力少ない柄部３で、様々な色彩や文字、大きさを使用者に選ばせることが可能となり、少ない柄部３で最大限の「認知症の予防促進」が図れる。
【００１４】
更に、柄部３の色彩等の種類数がＮ個である柄部３を、所定間隔ごとに縦横Ｎ個ずつ配置することによっても、使用者が色彩等が同じ種類の柄部３だけを選んで踏む際には、少ない柄部３で、様々な色彩や文字、大きさを使用者に選ばせることが可能となり、最大限の「認知症の予防促進」が図れると共に、Ｎを適切な値とすることで、柄部３を選ぶ難易度を変えることが出来る。
【００１５】
そして、色彩等の種類が同じ柄部３を、縦、横及び斜めの何れかの方向に隣接して配置することによって、使用者が色彩等が同じ種類の柄部３だけを選んで踏む際には、必ず隣接した柄部３を踏み続けることが可能となり、使用者に過度の負担をかけない。
【００１６】
そして、パイル層４のパイル面４ａに、地部２と柄部３を、塗布や染色、溶融、パイル糸４ｂのタフトによって設けることによって、使用者にとって肌触り良くなると共に、パイル層４のパイル糸４ｂに抗菌や消臭、防炎等の機能を担持させることが出来、これらの機能を発揮し易くなると言える。
【００１７】
その他、リハビリ具１’においても、柄部３の色彩、文字、大きさ及び形状のうち少なくとも２つを、それぞれ複数種類とし、これらの柄部３を所定間隔ごとに配置することによって、使用者が色彩等が同じ種類の柄部３だけを選んで踏む際には、特許文献１とは異なり、歩行運動と同時に、柄部３を選んで脳を活動させることが可能となるため、「認知症の予防促進」が図れる。
これと同時に、上述した柄部３が、床面や壁面等に設けられているリハビリ具１’であれば、特許文献１とは異なり、足踏み台から立設した支柱や取手部のように嵩張らず、又、マット等の立体物すらないため、「省スペース化」が図れると共に、リハビリ運動を行わない際には畳む等の作業も不要となる。
従って、リハビリ具１’によっても、「認知症の予防促進」と「省スペース化」を両立できると言える。
【考案の効果】
【００１８】
本考案に係るマット状物及びリハビリ具によると、色彩、文字、大きさ及び形状等が複数種類ある柄部を、所定間隔ごとに配置することにより、「認知症予防の効果促進」と「省スペース化」の両立などを実現できる。
【図面の簡単な説明】
【００１９】
【図１】本考案に係るマット状物（リハビリ具）を示す平面概要図であり、（ａ）は同じ色彩の柄部を使用者が踏んだ場合を足跡で示し、（ｂ）は同じ文字の柄部を使用者が踏んだ場合を足跡で示し、（ｃ）は同じ大きさの柄部を使用者が踏んだ場合を足跡で示す。
【図２】マット状物（リハビリ具）を示す別の平面概要図であり、（ａ）は柄部が図１とは異なる場合を示し、（ｂ）は（ａ）と同じ柄部であるが、地部の色彩が異なる場合を示す。
【図３】マット状物（リハビリ具）を示す更に別の平面概要図であり、（ａ）は色彩と文字と形状が３種類ずつある場合を示し、（ｂ）は色彩と文字と大きさが４種類ずつある場合を示す。
【図４】マット状物（リハビリ具）を示すその他の平面概要図である。
【図５】パイル層を有したマット状物を示す斜視概要図である。
【考案を実施するための形態】
【００２０】
＜マット状物１の全体構成＞
以下、本考案の実施形態を、図面を参照して説明する。
図１〜５には、本考案に係るマット状物１が例示されている。
マット状物１は、使用者が踏む（踏める）ものであって、マットだけでなく、カーペット等の敷物や、タイル等の床材、織物（織地）や編物（編地）、不織布などの布帛であったり、指物なども含む。
【００２１】
マット状物１の表面１ａには、後述する地部２と柄部３が設けられている。
尚、本発明における「マット状物１の表面１ａ」とは、当該マット状物１の最上面（最も露出側に位置する面）である。
マット状物１は、後述するパイル層４（パイル布帛など）を有していても良く、この場合、パイル層４のパイル面４ａがマット状物１の表面１ａとなり、このパイル面４ａに、地部２や柄部３が設けられることとなる。
【００２２】
又、マット状物１は、パイル層４を有しておらず、ニードルパンチ不織布で構成されていたり、平織物（平織地）などであっても良く、その他、マット状物１は芯材（クッション材）が表皮材（合成樹脂製のシート状物など）に覆われた構成であっても良い。
この構成の場合、地部２と柄部３は、マット状物１の表皮材における表面１ａ側に、所定種類の色彩の塗料を塗布したり、所定種類の色彩の糸で刺繍したり、所定種類の色彩の糸を用いた織編地を組織すること等によって設けられることとなる。
尚、マット状物１は、その表面１ａの一部にパイル層４を有していても良く、この場合、柄部３をパイル層４で形成し、地部２をパイル層４がない部分（無パイル部分）で形成したり、逆に、柄部３を無パイル部分で形成し、地部２をパイル層４で形成することで、地部２や柄部３を設けても良い。
【００２３】
マット状物１は、裏面１ｂ（例えば、パイル布帛などの裏面等）側に、合成樹脂の裏打層を有していたり、合成樹脂繊維による不織布や、合成樹脂のシートやフィルム等の裏材を有していても良い。
尚、マット状物１が裏打層を有している場合、その裏打層は、に熱可塑性合成樹脂の独立発泡気泡セルによって形成された発泡裏打層であっても良い。
【００２４】
又、マット状物１は、裏打層や裏材を有していなくとも良い。
その他、マット状物１は、裏面１ｂ側に、滑止めを施していたり、床面等に対して粘着（接着）可能な粘着面などを有していても良い。
【００２５】
＜地部２＞
図１〜５に示したように、地部２は、上述したマット状物１の表面１ａのうち、地（無地）の部分である。
地部２は、１つのマット状物１の表面１ａの全体に亘って設けられていても良いが、当該表面１ａの一部に設けられていても良い。
【００２６】
１つのマット状物１における地部２の数は、通常は１つであるが、地部２が２つ以上に分かれて、マット状物１の表面１ａに設けられていても良い。
本発明における「地部２の色彩」は、赤色系、橙色系、黄色系、緑色系、青色系、紫色系、黒色系、白色系など何れの色調でも良く、彩度や明度についても何れの値でも構わないが、単色であったり、淡色であっても良い。
【００２７】
＜柄部３＞
図１〜５に示したように、柄部３は、上述したマット状物１の表面１ａのうち、柄の部分であって、上述した地部２に囲まれている。
柄部３も、１つのマット状物１の表面１ａの全体に亘って設けられていても良いが、当該表面１ａの一部に設けられていても良い。
１つのマット状物１における柄部３の数は、複数である。
【００２８】
柄部３は、その色彩、文字、大きさ及び形状のうち少なくとも２つが、それぞれ複数種類あり、これらの柄部３が、所定間隔ごとに配置されている。
ここで、本発明における「柄部３の色彩」とは、赤色系、橙色系、黄色系、緑色系、青色系、紫色系、黒色系、白色系など何れの色調でも良く、彩度や明度についても何れの値でも構わない。又、「柄部３の色彩」は、１つの柄部３が１色のみで構成されていても良いが、当然、２色以上を有していても構わない。
【００２９】
本発明における「柄部３の文字」とは、平仮名、片仮名、漢字の他、アルファベット、数字、記号などの何れの文字であっても良く、図４に示すような、「●」や「○」等も「黒丸」や「白丸」などの記号であるとして、柄部３の文字に含んでも構わない。
尚、この「●」の個数で、「柄部３の文字」の種類として同じか否かを判断する場合を、図４で詳解すれば、１つの柄部３中に「●」が１つだけあるものは同じ種類とし、「●」が２つあるものでまた別の同じ種類とし、更に「○」が２つあるもので更にまた別の種類としても良い。
本発明における「柄部３の大きさ」とは、複数ある柄部３のうち、地部２に囲まれた各柄部３ごとの大きさである。
【００３０】
本発明における「柄部３の形状」とは、複数ある柄部３のうち、地部２に囲まれた各柄部３ごとの形状であり、平面視における形状だけでなく、側面視における形状（例えば、マット状物１の表面１における凹凸差であったり、パイル層４を有している場合には、パイル糸４ｂがループパイルかカットパイルか等のパイル糸４ｂ自体の形状など）も含む。
この「柄部３の形状」で側面視における形状のうち、特に凹凸差は、パイル糸４ｂをその高さ（パイル長）が当初から異なるようにタフト等によって立設させたり、パイル長が同じパイル層４の一部を、エンボス加工や溶融によって、パイル長を低くして凹凸差をつけても良く、この柄部３における凹凸差は、複数種類であっても構わない。
【００３１】
本発明における「所定間隔」とは、隣接する柄部３における略中央部分間の距離が、所定の一定値である場合や、隣接し且つ大きさが異なる柄部３における端同士間の距離が、所定の一定値である場合であっても良く、その他、隣接する柄部３における略中央部分間の距離や、隣接し且つ大きさが異なる柄部３における端同士間の距離が、一定値でない（様々な値となる）場合も含む。
尚、この「所定間隔」が大きいほど、使用者が色彩等が同じ種類の柄部３だけを選んで踏む等の際には、使用者が踏み出す距離が長くなるため、使用者にかかる運動負荷が大きくなるとも言え、逆に、「所定間隔」が小さいほど、使用者が色彩等が同じ種類の柄部３だけを選んで踏む等の際には、使用者が踏み出す距離が短くなり、使用者にかかる運動負荷は小さくなるとも言える。
【００３２】
本発明における「これらの柄部３が、所定間隔ごとに配置されている」とは、複数の柄部３が、所定間隔ごとに縦横に配置されている（１行２列や、２行１列、２行２列、３行１列、１行３列、３行２列、２行３列、３行３列などのＸ行Ｙ列に配置され、各行と各列が略直交している）場合（図１〜３参照）や、所定間隔ごとに斜めに配置されている（縦横に配置と同様に、Ｘ行Ｙ列に配置されているが、各行と各列が略直交していない（各行と各列が４５°など９０°以外の角度をなしている））場合であっても良い。
その他、本発明における「これらの柄部３が、所定間隔ごとに配置されている」とは、所定間隔で丸く配置されている（隣接する柄部３を辿ると略円形状、略楕円形状等になる）場合や、所定間隔で略三角形状に配置されている（隣接する柄部３を辿ると略三角形状になる）場合、所定間隔で略三角形状に配置されている（隣接する柄部３を辿ると略三角形状になる）場合、所定間隔で略五角形状等の略多角形状に配置されている（隣接する柄部３を辿ると略五角形状等の略多角形になる）場合であったり、全くランダムに配置されている場合でも構わない（図４参照）。
【００３３】
このような柄部３は、その色彩等の少なくとも２つが複数種類あって、所定間隔ごとに配置されていれば、特に限定はないが、例えば、柄部３の色彩等のうち３つが、それぞれ３種類あり、これらの柄部３が、所定間隔ごとに縦横３個ずつ配置されていても良い。
この場合をより具体的に示せば、例えば、柄部３の色彩は赤色、青色、緑色の３種類で、柄部３の文字も「赤」、「青」、「緑」の３種類で、柄部３の大きさも大、中、小の３種類である合計９種類の柄部３を、所定間隔ごとに縦横３個ずつの合計９個配置した場合となる（図１、２参照）。
この他、例えば、柄部３の色彩は、同様に赤色、青色、緑色の３種類で、柄部３の文字も、同様に「赤」、「青」、「緑」の３種類だが、柄部３の形状が正方形、正三角形、円形の３種類である合計９種類の柄部３を、所定間隔ごとに縦横３個ずつの合計９個配置した場合でも良い（図３（ａ）参照）。
【００３４】
又、柄部３は、その色彩等の少なくとも２つそれぞれの種類の数が、Ｎ個である場合、これらの柄部３が、所定間隔ごとに縦横Ｎ個ずつ配置されていても良い。
この場合もより具体的に示せば、例えば、Ｎ＝４であれば、色彩は赤色、青色、緑色、黒色の４種類で、文字も「赤」、「青」、「緑」、「黒」の４種類で、大きさも特大、大、中、小の４種類である合計１６種類の柄部３を、所定間隔ごとに縦横４個ずつの合計１６個配置した場合となる（図３（ｂ）参照）。
【００３５】
当然、Ｎ＝４以外に、Ｎ＝２や５、６以上であっても良い。
尚、Ｎ＝３であれば、上述した柄部３の色彩等のうち３つが、それぞれ３種類あり、これらの柄部３が、所定間隔ごとに縦横３個ずつ配置されている場合を示す。
【００３６】
その他、柄部３における色彩等のうち何れかの種類が同じ柄部３は、縦、横及び斜めのうち少なくとも１つの方向において隣接して配置されていても良い。
この場合もより具体的に示せば、例えば、図１（ａ）で示したように、色彩が緑である柄部３は、最下行では中央列に位置し、この柄部３の右斜め上の中央行右列には、同じく色彩が緑の柄部３が隣接しており、更に、この柄部３の上である最上行右列には、同じく色彩が緑の柄部３が隣接している。
【００３７】
又、図１（ｂ）で示したように、文字が「緑」である柄部３は、最下行では中央列に位置し、この柄部３の左斜め上の中央行左列には、同じく文字が「緑」の柄部３が隣接しており、更に、この柄部３の上である最上行左列には、同じく文字が「緑」の柄部３が隣接している。
更に、図１（ｃ）で示したように、大きさが最も大きい柄部３は、最下行では左列に位置し、この柄部３の右斜め上の中央行中央列には、同じく大きさが最も大きい柄部３が隣接しており、更に、この柄部３の右斜め上の最上行右列には、同じく大きさが最も大きい柄部３が隣接している。
【００３８】
尚、柄部３は、その色彩等の種類が同じ柄部３が、縦、横、斜めの方向において隣接して配置されていなくとも良い。
この場合もより具体的に示せば、例えば、図４で示したように、文字が「●」２個である柄部３それぞれは、文字が「●」１個である柄部３等に隣接しており、文字が「●」１個である柄部３を挟んだ遠い側に、また別の文字が「●」２個である柄部３が設けられており、文字の種類が同じ柄部３が、縦、横、斜めの方向において隣接して配置されていない（文字が「●」２個である柄部３については、非隣接配置である）とも言える。
【００３９】
＜パイル層４＞
図５に示したように、パイル層４は、マット状物１の表面１ａ側には、複数のパイル糸４ｂが基布４ｃから立設している。
これら複数のパイル糸４ｂの先端部分によって、パイル層４のパイル面４ａが形成され、このパイル面４ａに、上述した地部２や柄部３が設けられる。
【００４０】
パイル面４ａに設けられる地部２や柄部３は、塗布、染色、溶融及びパイル糸４ｂのタフトの少なくとも１つによって設けられていても良い。
ここで、本発明における「塗布によって地部２や柄部３を設ける」とは、所定種類の色彩の塗料を、所定の平面位置のパイル糸４ｂの少なくとも先端部分に付着させる（塗布する）ことによって、パイル面４ａに、平面視において、所定の地部２と柄部３を設けることを意味する。尚、塗料を付着させる部分は、パイル糸４ｂの先端部分のみであったり、先端から中途部までや、先端から基端まで、先端から基布４ｃ（基布４ｃの一部）までであっても良い。
【００４１】
本発明における「染色によって地部２や柄部３を設ける」とは、所定の平面位置のパイル糸４ｂを、所定種類の色彩の染料に染まる素材として、色彩の種類に応じた所定回数の染色を少なくともパイル糸４ｂに施すことによって、パイル面４ａに、平面視において、所定の地部２と柄部３を設けることを意味する。
本発明における「溶融によって地部２や柄部３を設ける」とは、少なくとも所定の平面位置のパイル糸４ｂ（通常、全てのパイル糸４ｂ）を熱可塑性樹脂等の素材として、レーザー光線照射装置や火炎放射装置、超音波ミシン、ヒーター（電気発熱体）などによって、所定の平面位置のパイル糸４ｂの少なくとも先端部分を溶融させることによって、パイル面４ａに、平面視において、所定の地部２と柄部３を設けることを意味する。尚、溶融させる部分は、パイル糸４ｂの先端部分のみであったり、先端から中途部までや、先端から基端まで、先端から基布４ｃ（基布４ｃの一部）までであっても良い。
【００４２】
本発明における「パイル糸４ｂのタフトによって地部２や柄部３を設ける」とは、所定色彩のパイル糸４ｂを、基布４ｃにおける所定の平面位置にタフトする（植設する）ことによって、パイル面４ａに、平面視において、所定の地部２と柄部３を設けることを意味する。
地部２と柄部３は、上述した塗布、染色、溶融、パイル糸４ｂのタフトの何れか１つによって設けられていても良いが、これら塗布、染色、溶融、パイル糸４ｂのタフトの少なくとも２つを組み合わせて、地部２と柄部３を設けても構わない。
このようなパイル層４は、ＮＢＲやＭＢＲ製のゴムシートやポリプロピレン繊維性不織布等である基布４ｃに、ナイロン（ポリアミド）樹脂等の熱可塑性樹脂製のパイル糸４ｂをタフトしたタフテッドパイル布帛であったり、フックドラッグやモケット、ウイルトンカーペット、アキスミンスターカーペット、編地を起毛させたもの（パイル編地）であっても良い。
又、パイル層４のパイル糸（パイル）４ｂは、カットパイル（図５参照）でも、ループパイルであっても良い。
【００４３】
＜リハビリ具１’＞
図１〜５には、本考案に係るリハビリ具１’が例示されている。
リハビリ具１’は、使用者が接触する（接触できる）ものであって、上述したように、マット状物１だけでなく、床面や壁面等に上述した地部２と柄部３を設けて、使用者が踏んだり、手で触れたり（接触したり）するものも含み、机等の立体物の上面や側面などに上述した地部２と柄部３が設けられたものや、マット状物１よりも薄いシート状物なども含む。
【００４４】
リハビリ具１’の表面１ａ’には、上述した地部２と柄部３と同様の地部２と柄部３が設けられている。
尚、本発明における「リハビリ具１’の表面１ａ’」とは、当該リハビリ具１’の最上面（最も露出側に位置する面）である。
リハビリ具１’は、上述したパイル層４を有していても良く、この場合も、パイル層４のパイル面４ａがマット状物１の表面１ａとなり、このパイル面４ａに、地部２や柄部３が設けられることとなる。
【００４５】
＜実施例１＞
ＮＢＲ又はＭＢＲ製のゴムシートである基布４ｃに、ナイロン（ポリアミド）樹脂製で黄色のパイル糸４ｂをタフトしたタフテッドパイル布帛に対して、赤色、青色、緑色の塗料を所定の平面位置のパイル糸４ｂの少なくとも先端部分に塗布して、パイル面４ａに、平面視において、所定の地部２と柄部３を設け、実施例１のマット状物１（リハビリ具１’）を得た。
尚、この実施例１のマット状物１は、全体が幅（横幅）９００ｍｍ×長さ３０００ｍｍの矩形状であり、全厚が１０ｍｍで、抗菌、消臭の機能を有している。
【００４６】
＜実施例２＞
ＮＢＲ製のゴムシートである基布４ｃに、地部２用として黄色のパイル糸４ｂを、柄部３用として赤色、青色、緑色のパイル糸４ｂを、基布４ｃにおける所定の平面位置にタフトして、パイル面４ａに、平面視において、所定の地部２と柄部３を設け、実施例２のマット状物１（リハビリ具１’）を得た。
尚、この実施例２のマット状物１も、全体が幅（横幅）９００ｍｍ×長さ３０００ｍｍの矩形状であるが、全厚が１３ｍｍで、抗菌、消臭の他に、防炎の機能も有している。
【００４７】
＜その他＞
尚、本考案は、前述した実施形態に限定されるものではない。マット状物１、リハビリ具１’等の各構成又は全体の構造、形状、寸法などは、本考案の趣旨に沿って適宜変更することが出来る。
柄部３は、通常、色彩、文字、大きさ及び形状を持つとも言えるが、文字を持たず、色彩、大きさ及び形状の３つで構成されていても良い。
【産業上の利用可能性】
【００４８】
本考案のマット状物及びリハビリ具は、屋内で用いたり、内装材として使用する以外にも、マット状物を屋外で用いたり、屋外の地面に地部や柄部を設けてリハビリ具とするなど、幅広く利用可能である。
【符号の説明】
【００４９】
１            マット状物（リハビリマット）
１ａ          マット状物の表面
１’          リハビリ具
１ａ’        リハビリ具の表面
２            地部
３            柄部
４            パイル層
４ａ          パイル面
４ｂ          パイル糸
【図１】
0003221346.tif 000003
【図２】
0003221346.tif 000004
【図３】
0003221346.tif 000005
【図４】
0003221346.tif 000006
【図５】
0003221346.tif 000007
【手続補正書】
【提出日】平成31年3月6日(2019.3.6)
【手続補正１】
【補正対象書類名】実用新案登録請求の範囲
【補正対象項目名】全文
【補正方法】変更
【補正の内容】
【実用新案登録請求の範囲】
【請求項１】
使用者が踏むマット状物であって、
当該マット状物の表面には、地部と柄部が設けられ、
前記柄部における色彩、文字、大きさ及び形状のうち少なくとも２つが、それぞれ複数種類あり、
これらの柄部が、所定間隔ごとに配置されているマット状物。
【請求項２】
前記柄部は、色彩、文字、大きさ及び形状のうち３つが、それぞれ３種類あり、
これらの柄部が、所定間隔ごとに縦横３個ずつ配置されている請求項１に記載のマット状物。
【請求項３】
前記柄部における色彩、文字、大きさ及び形状のうち少なくとも２つそれぞれの種類の数が、Ｎ個である場合、
これらの柄部が、所定間隔ごとに縦横Ｎ個ずつ配置されている請求項１に記載のマット状物。
【請求項４】
前記柄部における色彩、文字、大きさ及び形状のうち何れかの種類が同じ柄部は、縦、横及び斜めのうち少なくとも１つの方向において隣接して配置されている請求項１〜３の何れか１項に記載のマット状物。
【請求項５】
当該マット状物は、パイル層を有し、
前記パイル層のパイル面に、前記地部と柄部が、塗布、染色、溶融及びパイル糸のタフトの少なくとも１つによって設けられている請求項１〜４の何れか１項に記載のマット状物。
【請求項６】
使用者が接触するリハビリ具であって、
当該リハビリ具は、使用者が踏むマット状物と、床面又は壁面と、立体物と、使用者が踏むシート状物と、内装材と、屋外の地面の何れかであり、
当該リハビリ具が使用者が踏むマット状物である場合には、当該マット状物の表面には、地部と柄部が設けられ、
当該リハビリ具が床面又は壁面である場合には、当該床面又は壁面における使用者が踏む又は使用者が手で触れる面には、地部と柄部が設けられ、
当該リハビリ具が立体物である場合には、当該立体物における上面及び／又は側面には、地部と柄部が設けられ、
当該リハビリ具が使用者が踏むシート状物である場合には、当該シート状物の表面には、地部と柄部が設けられ、
当該リハビリ具が内装材である場合には、当該内装材における最も露出側に位置する面には、地部と柄部が設けられ、
当該リハビリ具が屋外の地面である場合には、当該屋外の地面には、地部と柄部が設けられ、
前記柄部における色彩、文字、大きさ及び形状のうち少なくとも２つが、それぞれ複数種類あり、
これらの柄部が、所定間隔ごとに配置されているリハビリ具。
【手続補正２】
【補正対象書類名】明細書
【補正対象項目名】００１１
【補正方法】変更
【補正の内容】
【００１１】
本考案に係るリハビリ具１’は、使用者が接触するリハビリ具であって、当該リハビリ具は、使用者が踏むマット状物と、床面又は壁面と、立体物と、使用者が踏むシート状物と、内装材と、屋外の地面の何れかであり、当該リハビリ具が使用者が踏むマット状物である場合には、当該マット状物の表面には、地部と柄部が設けられ、当該リハビリ具が床面又は壁面である場合には、当該床面又は壁面における使用者が踏む又は使用者が手で触れる面には、地部と柄部が設けられ、当該リハビリ具が立体物である場合には、当該立体物における上面及び／又は側面には、地部と柄部が設けられ、当該リハビリ具が使用者が踏むシート状物である場合には、当該シート状物の表面には、地部と柄部が設けられ、当該リハビリ具が内装材である場合には、当該内装材における最も露出側に位置する面には、地部と柄部が設けられ、当該リハビリ具が屋外の地面である場合には、当該屋外の地面には、地部と柄部が設けられ、前記柄部における色彩、文字、大きさ及び形状のうち少なくとも２つが、それぞれ複数種類あり、これらの柄部が、所定間隔ごとに配置されていることを第１の特徴とする。
尚、本発明における「リハビリ具１’」とは、上述したマット状物１を含む他、床面や壁面等に上述した地部２と柄部３を設けて、使用者が踏んだり、手で触れたり（接触したり）するものも含み、机等の立体物の上面や側面などに上述した地部２と柄部３が設けられたものや、マット状物１よりも薄いシート状物などであっても構わない。